(57)【要約】【課題】臨場感を醸し出して動作し得る装飾表示手段を具備させて演出効果を向上させることができるパチンコ遊技機を提供する。【解決手段】遊技機本体に組み付けられる遊技盤４と、該遊技盤４の表面に形成され、複数の図柄を変動表示又は停止表示させ得る図柄表示手段６が内部に形成されたセンター役物５と、所定の文字又は図柄が表示されつつセンター役物５に取り付けられ、当該文字又は図柄を遊技者に視認させ得る装飾表示手段２１とを具備したパチンコ遊技機１において、装飾表示手段２１は、遊技内容に基づき左右方向に不規則に揺動可能とされたものである。【選択図】図４
2008000512.tif 000002
【特許請求の範囲】
【請求項１】
遊技機本体に組み付けられる遊技盤と、
該遊技盤の表面に形成され、複数の図柄を変動表示又は停止表示させ得る図柄表示手段が内部に形成された役物と、
所定の文字又は図柄が表示されつつ前記役物に取り付けられ、当該文字又は図柄を遊技者に視認させ得る装飾表示手段と、
を具備したパチンコ遊技機において、
前記装飾表示手段は、遊技内容に基づき左右方向に不規則に揺動可能とされたことを特徴とするパチンコ遊技機。
【請求項２】
前記装飾表示手段は、その略中央が役物から延設された揺動軸にて揺動自在に支持されるとともに、左右端部がそれぞれクランクを介して駆動手段と連結されつつ当該クランクが前記役物に対して弾性体を介して支持されて成り、当該駆動手段が交互に駆動することにより前記装飾表示手段を不規則に揺動させることを特徴とする請求項１記載のパチンコ遊技機。
【請求項３】
前記クランクの前記装飾表示手段との連結部は、前記駆動手段の駆動による当該装飾表示手段の揺動角度より大きな揺動を許容することを特徴とする請求項１又は請求項２記載のパチンコ遊技機。
【請求項４】
前記装飾表示手段は、内部に発光体を具備し、所定の文字及び図柄を表示しつつ揺動と共に点灯又は点滅し得ることを特徴とする請求項１〜請求項３の何れか１つに記載のパチンコ遊技機。
【発明の詳細な説明】
【技術分野】
【０００１】
本発明は、所定の文字又は図柄が表示されつつ役物に取り付けられ、当該文字又は図柄を遊技者に視認させ得る装飾表示手段を具備したパチンコ遊技機に関するものである。
【背景技術】
【０００２】
通常、パチンコ遊技機は、外枠及び前枠等から成る遊技機本体を具備しており、この遊技機本体には、遊技球を弾発し得る操作ハンドルやガラス板を介して視認し得る遊技盤等が形成されている。かかる遊技盤の表面（遊技者側に臨んだ面）には、操作ハンドルにて弾発された遊技球が種々軌跡で通過し得る遊技領域が形成されており、遊技球が当該遊技領域に形成された入賞口に入賞し得るようになっている。
【０００３】
例えば第１種とよばれるパチンコ遊技機においては、３つの図柄を変動表示又は停止表示させ得る図柄表示手段や該図柄表示手段で表示させる図柄を変動表示開始するための始動口などが遊技盤に形成されており、図柄表示手段で変動表示された３つの図柄が揃って停止表示したときに大当たり状態が発生し、賞球として多数の遊技球が獲得され得るようになっている。
【０００４】
そして、大当たり状態やその前段階（結果的にはずれとなる場合も含む）のリーチ状態になると、遊技機本体の上部や側部或いは役物等に配設された装飾用ランプやＬＥＤが点灯又は点滅し、視覚的な演出が行われるようになっている。従来、所定の文字や図柄を表示させた装飾表示板（装飾表示手段）をセンター役物（遊技領域の略中央に固定された役物）に取り付け、かかる装飾表示板を大当たり状態発生時やリーチ状態発生時に動作させることにより、演出効果を高めたパチンコ遊技機も提案されている。尚、かかる先行技術は、文献公知発明に係るものでないため、記載すべき先行技術文献情報はない。
【発明の開示】
【発明が解決しようとする課題】
【０００５】
しかしながら、上記従来のパチンコ遊技機においては、装飾表示板が所定速度で摺動や往復動又は回動等するのみであり、臨場感に欠けた演出となってしまうという問題があった。即ち、役物には、往復動など所定動作が繰り返される種々の構成要素が配設されているのが一般的となっており、それと類似した動作を装飾表示板が行っても、臨場感を演出するには不十分となるのである。
【０００６】
本発明は、このような事情に鑑みてなされたもので、臨場感を醸し出して動作し得る装飾表示手段を具備させて演出効果を向上させることができるパチンコ遊技機を提供することにある。
【課題を解決するための手段】
【０００７】
請求項１記載の発明は、遊技機本体に組み付けられる遊技盤と、該遊技盤の表面に形成され、複数の図柄を変動表示又は停止表示させ得る図柄表示手段が内部に形成された役物と、所定の文字又は図柄が表示されつつ前記役物に取り付けられ、当該文字又は図柄を遊技者に視認させ得る装飾表示手段とを具備したパチンコ遊技機において、前記装飾表示手段は、遊技内容に基づき左右方向に不規則に揺動可能とされたことを特徴とする。
【０００８】
請求項２記載の発明は、請求項１記載のパチンコ遊技機において、前記装飾表示手段は、その略中央が役物から延設された揺動軸にて揺動自在に支持されるとともに、左右端部がそれぞれクランクを介して駆動手段と連結されつつ当該クランクが前記役物に対して弾性体を介して支持されて成り、当該駆動手段が交互に駆動することにより前記装飾表示手段を不規則に揺動させることを特徴とする。
【０００９】
請求項３記載の発明は、請求項１又は請求項２記載のパチンコ遊技機において、前記クランクの前記装飾表示手段との連結部は、前記駆動手段の駆動による当該装飾表示手段の揺動角度より大きな揺動を許容することを特徴とする。
【００１０】
請求項４記載の発明は、請求項１〜請求項３の何れか１つに記載のパチンコ遊技機において、前記装飾表示手段は、内部に発光体を具備し、所定の文字及び図柄を表示しつつ揺動と共に点灯又は点滅し得ることを特徴とする。
【発明の効果】
【００１１】
請求項１の発明によれば、装飾表示手段が、遊技内容に基づき左右方向に不規則に揺動可能とされたので、臨場感を醸し出して演出効果を向上させることができる。
【００１２】
請求項２の発明によれば、左右の駆動手段が交互に駆動してクランクを介して装飾表示手段を左右方向に揺動させる際、弾性部材によりクランクが弾性支持されているため、直接駆動手段で揺動させるものとは異なった複雑な動作となり、装飾表示手段を不規則に動作させることができる。従って、臨場感を醸し出して演出効果を向上させることができる。
【００１３】
請求項３の発明によれば、クランクの装飾表示手段との連結部は、駆動手段の駆動による当該装飾表示手段の揺動角度より大きな揺動を許容するので、装飾表示手段の揺動時、より大きく複雑な動作を行わせることができ、臨場感を更に醸し出して演出効果を向上させることができる。
【００１４】
請求項４の発明によれば、装飾表示手段が内部に発光体を具備し、所定の文字及び図柄を表示しつつ揺動と共に点灯又は点滅し得るので、視覚的演出効果を更に向上させつつ臨場感を一層向上させることができる。
【発明を実施するための最良の形態】
【００１５】
以下、本発明の実施形態について図面を参照しながら具体的に説明する。
本実施形態に係るパチンコ遊技機は、図１に示すように、ガラス板２が取り付けられた前面枠３を有しており、かかるガラス板２を介して遊技者が遊技盤４を目視し得るように構成されている。尚、当該前枠３は、外枠（不図示）に開閉自在に支持されて、本発明の遊技機本体を構成する。遊技機本体には遊技盤４が取り付けられており、この遊技盤４は、その表面に複数の釘や風車等が形成された遊技領域を有するとともに、当該遊技領域において弾発された遊技球が種々軌跡で通過（落下）し得るよう構成されている。
【００１６】
遊技盤４における遊技領域の略中央には、センター役物５が形成されており、このセンター役物５には、図柄表示手段６の表示面を外部に臨ませる開口５ａが形成されている。かかる図柄表示手段６は、その表示面（画面）に複数の図柄を変動表示又は停止表示させ得るものであり、例えば液晶画面などから成る。また、遊技盤４には、図柄表示手段６の変動表示を開始させる始動口７や大入賞口８などが形成されている。
【００１７】
そして、始動口７に遊技球が入賞すると、図柄表示手段６における画面にて複数の図柄を変動表示開始させ、例えば同一の図柄が揃って停止表示されれば、「大当たり状態」が発生し、大入賞口８を所定時間及びタイミングで開閉させて、遊技者が多数の遊技球を獲得することができるよう構成されている。また、一の図柄が変動表示しつつそれ以外の図柄が揃って停止表示された所謂リーチ状態が発生するよう設定されており、当該一の図柄が停止表示した際に全ての図柄が揃って大当たり状態となるか或いは揃わずはずれとなるよう構成されている。
【００１８】
更に、パチンコ遊技機１の下部右隅には操作ハンドル９が配設されており、遊技者が該ハンドル９を回動操作することにより上皿１０内の遊技球を遊技盤４の遊技領域へ弾発し得るよう構成されている。尚、同図中符号１１は前枠３に形成された下皿を示しているとともに、符号１２は遊技者が遊技内容に基づいて任意のタイミングで押圧操作可能な押しボタンを示している。
【００１９】
遊技盤４には、下段、中段及び上段の３つの回転ランプ１３ａ〜１３ｃが並列して配設されており、それぞれが遊技内容に応じて回転しつつ光を照射することにより視覚的演出を図り得るようになっている。即ち、センター役物５の側面には、図２に示すように、当該センター役物５の外周縁部に沿って円弧状のフレームＦが一体的に固定されており、該フレームＦの下部、中央部及び上部に設けられた凹部Ｆａ〜Ｆｃ内に回転ランプ１３ａ〜１３ｃがそれぞれ配設されている。
【００２０】
凹部Ｆａ〜Ｆｃは、図３及び図４に示すように、遊技盤４の表面側に開口して形成されているとともに、当該開口を塞ぐ如くフレームＦに透明又は半透明の樹脂１４ａ〜１４ｃが形成されている。フレームＦの表面と樹脂１４の表面とは略面一とされており、遊技盤４にセンター役物５を組み付けると、フレームＦ及び樹脂１４の表面が遊技盤４の表面４ａ（遊技領域）とほぼ段差がない状態になるよう構成されている。これにより、遊技領域に弾発された遊技球が、フレームＦ及び樹脂１４上を通過し得るようになっている。
【００２１】
ここで、本実施形態においては、センター役物５の開口５ａ内における上部（図柄表示手段６の視認を妨げない位置）に板状の装飾表示手段２１が取り付けられている。かかる装飾表示手段２１の表面には、遊技内容に基づいた文字（本実施形態においては「ＪＡＷＳ」なる文字）が表示されており、当該文字を遊技者に視認させ得るよう構成されている。また、装飾表示手段２１の内部には、図示しない発光手段が配設されており、当該発光手段にて点灯又は点滅表示可能とされているため、当該文字を遊技者により視認させ得るようになっている。
【００２２】
更に具体的には、装飾表示手段２１は、図３及び図４に示すように、その略中央がセンター役物５から延設された揺動軸Ｌａにて左右方向に揺動自在に支持されるとともに、左右端部がそれぞれクランク１９、２０を介してソレノイド１５、１６（駆動手段）と連結されつつ当該クランク１９、２０がセンター役物５に対してスプリング１７、１８（弾性体）を介して支持されて構成されている。
【００２３】
スプリング１７、１８は、センター役物５に突出形成されたピンＰ１、Ｐ３と、クランク１９、２０に突出形成されたピンＰ２、Ｐ４との間に介装されており、これによりクランク１９、２０の先端側を弾性支持している。また、クランク１９、２０は、その基端側に形成された軸Ｌｂ、Ｌｃを中心に揺動自在とされるとともに、その基端１９ｂ、２０ｂがソレノイド１５、１６と連結されている。
【００２４】
ソレノイド１５、１６は、センター役物５側に固定されつつ交互に駆動されるものであり、それぞれが通電により進退動作可能な操作子１５ａ、１６ａを具備し、これら操作子１５ａ、１６ａの先端がクランク１９、２０の基端１９ｂ、２０ｂに連結されている。一方、クランク１９、２０の各先端には切欠きから成る連結部１９ａ、２０ａが形成されており、これら連結部１９ａ、２０ａが装飾表示手段２１の裏面に突出形成されたピンＲ１、Ｒ２をそれぞれ押圧可能とされている。連結部１９ａ、２０ａは、クランク１９、２０における各先端の上下から突出した突出部１９ａａ、１９ａｂ、及び２０ａａ、２０ａｂから成り、上下の突出部間にピンＲ１及びＲ２が位置している。
【００２５】
そして、ソレノイド１６を駆動させると、図５に示すように、操作子１６ａが後退してクランク２０の基端２０ｂを引っ張るので、当該クランク２０が軸Ｌｃを中心として揺動して、連結部２０ａを構成する突出部２０ａａがピンＲ２を下方へ押圧し、これにより、装飾表示手段２１が揺動軸Ｌａを中心として右方向（パチンコ遊技機１の正面から見た場合、左方向）に揺動する。ソレノイド１６への通電が遮断されると、操作子１６ａが内部のスプリング（不図示）の付勢力により元の状態まで突出するので、クランク２０が元の位置まで戻り、装飾表示手段２１が初期の水平状態となる。
【００２６】
一方、ソレノイド１５を駆動させると、図６に示すように、操作子１５ａが後退してクランク１９の基端１９ｂを引っ張るので、当該クランク１９が軸Ｌｂを中心として揺動して、連結部２０ａを構成する突出部２０ａａがピンＲ１を下方へ押圧し、これにより、装飾表示手段２１が揺動軸Ｌａを中心として左方向（パチンコ遊技機１の正面から見た場合、右方向）に揺動する。ソレノイド１５への通電が遮断されると、操作子１５ａが内部のスプリング（不図示）の付勢力により元の状態まで突出するので、クランク１９が元の位置まで戻り、装飾表示手段２１が初期の水平状態となる。
【００２７】
然るに、ソレノイド１５、１６を交互に駆動（通電）させれば、装飾表示手段２１は揺動軸Ｌａを中心として左右に揺動するのであるが、スプリング１７、１８によりクランク１９、２０が弾性支持されているため、直接ソレノイド１５、１６で揺動させるものとは異なった複雑な動作となり、装飾表示手段２１を不規則に動作させることができる。即ち、装飾表示手段２１には、ソレノイド１５、１６の駆動力とクランク１９、２０が弾性支持されることによる揺れ戻り力とが併せて付与され、不規則な動作となるのである。
【００２８】
上記の如き装飾表示手段２１の不規則な揺動は、遊技内容に基づいて行われ、例えば大当たり状態やリーチ状態の発生時、回転ランプ１３ａ〜１３ｃのうち何れかが点灯した際に装飾表示手段２１を点灯させつつソレノイド１５、１６を交互に動作させるよう構成されている。従って、装飾表示手段２１が、遊技内容に基づき左右方向に不規則に揺動可能とされたので、臨場感を醸し出して演出効果を向上させることができる。
【００２９】
また、ソレノイド１６が駆動したときのクランク１９における連結部１９ａとピンＲ１との間（突出部１９ａａとピンＲ１との間）、及びソレノイド１５が駆動したときのクランク２０における連結部２０ａとピンＲ２との間（突出部２０ａａとピンＲ２との間）には、クリアランスｔ１（図５参照）及びｔ２（図６参照）が形成されるよう設定されている。これにより、クランク１９、２０の装飾表示手段２１との連結部１９ａ、１９ｂは、ソレノイド１５、１６の駆動による当該装飾表示手段２１の揺動角度より大きな揺動を許容するので、装飾表示手段２１の揺動時、より大きく複雑な動作を行わせることができ、臨場感を更に醸し出して演出効果を向上させることができる。
【００３０】
上記パチンコ遊技機１によれば、遊技内容に基づく回転ランプ１３ａ〜１３ｂの点灯と共に装飾表示手段２１を不規則に揺動させるので、回転ランプ１３ａ〜１３ｂの点灯による切迫感と装飾表示手段２１の不規則な揺動による臨場感とを併せて醸し出すことができ、演出効果を一層高めることができる。また、大当たり状態又はリーチ状態に近づくにつれ回転ランプ１３ａ〜１３ｃを順次点灯させるようにすれば、遊技者に対してより切迫感を与えることができる。
【００３１】
以上、本実施形態について説明したが、本発明はこれに限定されるものではなく、例えば「ＪＡＷＳ」なる文字に代えて他の所定の文字或いは図柄を装飾表示手段２１で表示させるようにしてもよい。また、装飾表示手段２１の左右端部に連結されたソレノイドに代えて他の汎用的な駆動手段としてもよく、或いはスプリング１７、１８に代えて装飾表示手段２１を弾性支持し得る他の弾性体としてもよい。
【００３２】
更に、回転ランプ１３ａ〜１３ｃを覆う各樹脂１４ａ〜１４ｃは、互いの色が異なるよう着色（例えば、下段の樹脂１４ａが黄色、中段の樹脂１４ｂが橙色、及び上段の樹脂１４ｃが赤色の如き着色）されていてもよく、その場合、回転ランプ１３ａ〜１３ｃの光が着色された色にて外部に照射されて視認されるので、遊技内容に応じて順次回転ランプ１３ａ〜１３ｃを点灯させ且つ装飾表示手段を不規則に揺動させれば、切迫感及び臨場感を更に向上させることができる。
【産業上の利用可能性】
【００３３】
所定の文字又は図柄が表示されつつ役物に取り付けられ、当該文字又は図柄を遊技者に視認させ得る装飾表示手段が遊技内容に基づき左右方向に不規則に揺動可能とされたパチンコ遊技機であれば、外観形状が異なるもの或いは他の形態（第２或いは第３種と称されるもの）のパチンコ遊技機にも適用することができる。
【図面の簡単な説明】
【００３４】
【図１】本発明の実施形態に係るパチンコ遊技機を示す全体模式図
【図２】同パチンコ遊技機におけるセンター役物、回転ランプ及び装飾表示手段を示す正面図
【図３】同パチンコ遊技機における装飾表示手段の表面を示す模式図
【図４】同装飾表示手段の裏面を示す模式図
【図５】同装飾表示手段が一の方向へ揺動した状態を示す模式図
【図６】同装飾表示手段が他の方向へ揺動した状態を示す模式図
【符号の説明】
【００３５】
１    パチンコ遊技機
２    ガラス板
３    前枠
４    遊技盤
５    センター役物
６    図柄表示手段
７    始動口
８    大入賞口
９    操作ハンドル
１０  上皿
１１  下皿
１２  押しボタン
１３（１３ａ〜１３ｃ）  回転ランプ
１４ａ〜１４ｃ  樹脂
１５、１６  ソレノイド（駆動手段）
１７、１８  スプリング（弾性体）
１９、２０  クランク
１９ａ、２０ａ  連結部
２１  装飾表示手段
【図１】
2008000512.tif 000003
【図２】
2008000512.tif 000004
【図３】
2008000512.tif 000005
【図４】
2008000512.tif 000006
【図５】
2008000512.tif 000007
【図６】
2008000512.tif 000008